【事件の表示】
　平成　６年特許願第１８９８８４号「自動券売機」拒絶査定に対する審判事件［平成　８年　２月　２日出願公開、特開平　８−　３０８１３］について、次のとおり審決する。
【結　論】
　本件審判の請求は、成り立たない。
【理　由】
          理　　　　由　　
［１］手続の経緯・本願発明 　
   本願は、平成６年７月２０日の出願であって、その請求項１に係る発明（以下、「本願発明」という。）は、平成１２年３月２２日付け手続補正書により補正された明細書の記載からみて、特許請求の範囲の請求項１に記載された次のとおりのものと認める。　
（本願発明）　
  「自動券売機の本体に設けられたタッチパネル式の方形に形成された表示画面に表示されている路線図の中の所定の駅名がタッチされ、かつその自動券売機の本体の設置されている駅からその駅名の駅までの乗車料金を満たす金銭が投入されたことを条件にその駅までの乗車券を発券する自動券売機において、　
　前記方形に形成された表示画面の上下左右方向の周囲に所定の間隔を保って設けられ、かつ、その方形に形成された表示画面の各角部に設けられた複数の移動釦と、前記複数の移動釦のうちのいずれか一つの移動釦がタッチされたときに、前記方形に形成された表示画面の表示内容をそのタッチされた移動釦で特定される方向に表示内容を連続的に移動させる表示制御手段と、を有することを特徴とする自動券売機。」　
　
［２］引用発明　
（１）引用刊行物　
　刊行物１：特開平５−３４６９２３号公報　
　刊行物２：実願平１−３５５１５号（実開平２−１３００５７号）のマイクロフィルム　
（２）各刊行物記載の発明　
　原査定の拒絶の理由に引用された、本願の出願前に公知である上記刊行物１乃至２に記載された発明（以下、「引用発明１乃至２」という。）は、それぞれ、次のものと認められる。　
（ｉ）引用発明１　
　上記刊行物１には、次のような事項が記載されている。　
（イ）「図面は、本発明装置を自動券売機に適用したときの一実施例装置であって、図１は、その自動券売機の本体（以下、本体という）ａの正面図、図２は図１（ａ）のＡ−Ａ線断面図である。」（３頁３欄15行〜18行）　
（ロ）「本件ａの接客パネル１の右側を除く部分には、表示画面２が設けられているとともに、その右側の上部硬貨投入口３ａと紙幣・カード挿入口３ｂとからなる金銭の投入口３が設けられており、また、投入口３の下方には、乗車券及び釣銭の取出口４が設けられている。」（３頁３欄20行〜25行）（注：「本件ａ」は、「本体ａ」の誤記である。）　
（ハ）「表示画面２に目的となる駅が見当たらない場合、例えば、本来、メニュー画面で御茶ノ水を押すべきところを東京駅と押した場合には、東京駅と御茶ノ水駅間の各駅は表示されるが御茶ノ水駅よりも先の駅は表示されない。このような場合は、画面移動エリア２ａの押下位置を下方へ移動すると、それに追従して表示全体が下方へ移動し、御茶ノ水より先の駅が表示される」（３頁４欄31行〜38行）　
（ニ）「目的とする駅が見つかり、かつその駅が押下されると、運賃表示エリア２ｂに運賃が表示され、その金額を投入すれば従来の自動券売機と同様に取出口４に乗車券（釣銭が必要なときは釣銭も）が排出される」（３頁４欄42行〜45行）　
（ホ）「本発明装置は、表示器の前面にタッチパネルを配置し、その表示器に表示された画面の所定位置をそのタッチパネルを介して指定することにより信号を入力し、その入力した信号に基づいて表示内容が変更される表示・入力装置において、…画面表示を連続して変化でき、極めて直接操作間隔の優れたものとすることができる。また、表示画面の所定位置を押下し、かつその押下位置を押下した状態で連続的に移動させたときに、その移動方向に追従して表示内容を移動して表示するようにしたときは、拡大表示させ目標物が画面外に外れた場合でも、表示画面で指を動かすことにより、押下位置を移動し、それに追従して表示全体を移動させて目標物を画面に表示させることができる。」（４頁５欄12行〜６欄3行）　
（へ）さらに、その図１（ｂ）には、上下に比して左右の幅が長い長方形状の「表示画面２」内の、右側上方部分に上記「運賃表示エリア２ｂ」が、また、同右側下方部分に上記「画面移動エリア２ａ」が、それぞれ表示される表示態様が示されている。　
  これら（イ）乃至（ヘ）の記載事項並びに当該記載事項と対応する図１（ａ）〜（ｂ）に示された事項を総合すると、上記刊行物１には、次の発明が記載されていると認められる。　
（引用発明１）
「自動券売機の本体に設けられたタッチパネル式の長方形に形成された表示画面に表示されている路線図の中の所定の駅名がタッチされ、かつその自動券売機の本体の設置されている駅からその駅名の駅までの乗車料金を満たす金銭が投入されたことを条件にその駅までの乗車券を発券する自動券売機において、　
　前記長方形に形成された表示画面の一部に画面移動エリア２ａを表示するとともに、前記画面移動エリア２ａ内を指で押下した状態で移動させたときに、前記長方形に形成された表示画面における表示内容を、その指で押下した状態で移動させた方向に連続的に移動させる表示制御手段を有する自動券売機」　
　
（ii）引用発明２　
　上記刊行物２には、次のような事項が記載されている。　
（イ）「この考案は、鉄道やバスなどの切符を自動的に発券する切符自動発券装置に関するものである。」（明細書２頁12行〜13行）　
（ロ）「切り替えボタン７が押された場合（ＳＰ４）には、可変表示操作板６の表示画面が第２図（ｂ）に示す全体地図画面に切り替わり（ＳＰ１１）、全体地図エリア２２中の所望の駅付近を押す（ＳＰ１２）と、可変表示操作板６の表示画面が第２図（ｃ）に示す部分拡大地図画面に切り替わる（ＳＰ１３）。次に、乗客は前記部分拡大地図画面中に所望の駅があるか否かを選択し（ＳＰ１４）、所望の駅がない場合には、次画面ボタン３３を押し（ＳＰ１５）、可変表示操作板６の表示画面を別の部分拡大地図画面に切り替えて、所望の駅を呼び出す。」（明細書９頁14行〜１０頁5行）　
（ハ）「また、前記の実施例では、拡大地図画面は、第２図（ｂ）に示す全体地図エリア２２を拡大し分割した複数枚の部分拡大地図画面により構成し、可変表示操作板６に表示される部分拡大地図画面は、必要に応じ次画面ボタン３３により切り替え得るようにしているが、分割しないで一枚の拡大地図画面で構成し、可変表示操作板６に表示される画面は、必要に応じ次画面ボタン３３によりスクロールさせるようにしても良い。」（明細書１１頁4〜12行）　
（ニ）さらに、その第２図（ｃ）には、上下に比して左右の幅が長い長方形状の表示画面である拡大地図画面中に拡大地図３２が表示されるとともに、その右端近傍位置に上記「次画面ボタン３３」が右向きの矢印形態で、また同様に、その左端近傍位置に上記「次画面ボタン３３」が左向きの矢印形態で、それぞれ配置・表示される表示態様が示されている。　
  これら（イ）乃至（ニ）の記載事項並びに当該記載事項と対応する第２図（ａ）〜（ｃ）に示された事項を総合すると、上記刊行物２には、次の発明が記載されていると認められる。
（引用発明２）
「切符を自動的に発券する自動券売機において、　
　本体に設けられたタッチパネル式の長方形に形成された表示画面を備えるとともに、前記表示画面の左右方向の両端部近傍位置にそれぞれ移動釦を配置・表示し、その複数の移動釦のうちのいずれか一つの移動釦がタッチされたときに、前記長方形に形成された表示画面の表示内容をそのタッチされた移動釦で特定される方向に表示内容を移動させる表示制御手段を有する自動券売機」　
［３］対比・判断　
（一致点・相違点）　
　本願発明と引用発明１とを対比すると、後者における「長方形に形成された表示画面」は前者における「方形に形成された表示画面」に、後者における「指で押下した状態で移動される方向」は前者における「タッチされ」「特定される方向」に、それぞれ相当するとともに、後者における「画面移動エリア２ａ」は、表示内容を連続的に移動させるためにタッチ操作される表示部である点で前者における「複数の移動釦」に相当するから、両者は、　
「自動券売機の本体に設けられたタッチパネル式の方形に形成された表示画面に表示されている路線図の中の所定の駅名がタッチされ、かつその自動券売機の本体の設置されている駅からその駅名の駅までの乗車料金を満たす金銭が投入されたことを条件にその駅までの乗車券を発券する自動券売機において、　
　前記方形に形成された表示画面の一部に設けられた表示内容を連続的に移動するためにタッチ操作される表示部と、前記方形に形成された表示画面における表示内容を、そのタッチ操作により特定される方向に連続的に移動させる表示制御手段と、を有することを特徴とする自動券売機。」である点（以下、「一致点」という。）で一致し、　
（Ａ）表示内容を連続的に移動させるためのタッチ操作される表示部及び表示内容を連続的に移動させる表示制御手段に関して、前者においては「方形に形成された表示画面の上下左右方向の周囲に所定の間隔を保って設けられ、かつ、その方形に形成された表示画面の各角部に設けられた複数の移動釦」を配置・表示するという表示態様を採用し、前記複数の移動釦のうちのいずれか一つの移動釦がタッチされたときに、その表示内容を「そのタッチされた移動釦で特定される方向に表示内容を連続的に移動させる」ものとしたのに対し、後者においては、「方形に形成された表示画面の一部に画面移動エリア２ａを表示する」という表示態様を採用し、前記画面移動エリア２ａ内を指で押下した状態で移動させたときに、その表示内容を「その指で押下した状態で移動させた方向に連続的に移動させる」ものとしている点で、相違している。　
（相違点の検討）　
　そこで、上記相違点（Ａ）について以下に検討する。　
　タッチパネル式の方形に形成された表示画面を備えた切符を自動的に発券する自動券売機において、その表示画面の左右方向の両端部近傍位置にそれぞれの移動釦を配置・表示するという表示態様を採用し、その複数の移動釦のうちのいずれか一つの移動釦がタッチされたときに、表示画面の表示内容をそのタッチされた移動釦で特定される方向に表示内容を移動させる表示制御手段を備えることは、上記引用発明２により本願出願前に公知である。　
 さらに、方形に形成された地図表示部に矢印表示から成る複数の移動釦を配置・表示するという表示態様を採用し、その複数の移動釦のいずれか一つの移動釦を使用者がタッチすることにより矢印方向に隣接する部分の地図を連続表示するようにした地図表示装置において、その方形に形成された表示画面の上下左右方向の周囲に所定の間隔を保って複数の移動釦を設けることに加えて当該表示画面の４角部にも同様の移動釦を配置・表示することは、本願出願前に普通に知られている表示態様である（必要ならば、特開平３−２２５３９０号公報（例えば、６頁の左下欄や第１０図）を参照）。　
　してみると、上記相違点Ａは、引用発明１の自動券売機における表示画面の表示内容を連続的に移動させるためのタッチ操作される表示態様とその表示制御手段に代えて、これと機能的に共通するところの引用発明２及び従来より周知の技術を採用することにより、当業者が容易に想到し得たものといえる。　
［４］むすび　
  したがって、本願発明は、引用発明１乃至２及び本願出願前の周知の技術に基いて当業者が容易に発明をすることができたものであるから、特許法第２９条第２項の規定により特許を受けることができない。　
     よって、結論のとおり審決する。